(57)【要約】【課題】  接着樹脂の流出を塞き止め、接着樹脂のはみ出しを防止する接着樹脂のはみ出し防止構造を提供する。【解決手段】  第１の紙片（１）と、第２の紙片（２）と、を第２の紙片（２）に形成された接着樹脂（３）を介して接合してなる構造であって、第２の紙片（２）には、接着樹脂（３）の流出を防止する突起部（２１）が形成され、該突起部（２１）にて接着樹脂（３）のはみ出しを防止する。【選択図】  図３
2006335436.tif 000002
【特許請求の範囲】
【請求項１】
第１の部材と、第２の部材と、を前記第２の部材に形成された接着樹脂を介して接合してなる構造であって、
前記第２の部材には、前記接着樹脂の流出を防止する突起部が形成され、該突起部にて前記接着樹脂のはみ出しを防止することを特徴とするはみ出し防止構造。
【請求項２】
前記突起部は、前記第２の部材の端部に沿って施されてなり、前記端部の外側への前記接着樹脂のはみ出しを防止することを特徴とする請求項１記載のはみ出し防止構造。
【請求項３】
前記突起部は、凸エンボスであることを特徴とする請求項１または２記載のはみ出し防止構造。
【請求項４】
請求項１から３の何れか１項に記載のはみ出し防止構造を有する容器であって、
前記第１の部材と、前記第２の部材と、は前記容器の両端を形成する部材であり、前記第１の部材と、前記第２の部材と、を前記接着樹脂を介して接合した際に、開口部が形成されることを特徴とする容器。
【発明の詳細な説明】
【技術分野】
【０００１】
本発明は、接着樹脂のはみ出し防止構造及びそのはみ出し防止構造を有する容器に関するものである。
【背景技術】
【０００２】
従来、図１（ａ）に示すように、第１の部材（１）と、第２の部材（２）と、を前記第２の部材（２）に形成した接着樹脂（３）により接合し、図１（ｂ）に示すように、開口部（４）を有する両端開放状の容器を形成し、図１（ｃ）に示す構造の容器にて得意先に納品していることが一般的であった。そして、図１（ｃ）に示す状態の容器を製函機にかけ、第１の部材（１）と、第３の部材（５）と、を開口し、図１（ｄ）に示すような形状の開口部（４）を形成させ、該形成させた開口部（４）に対して内容物を挿入していたのが現状である。
【０００３】
なお、この図１に示す容器の構造では、第１の部材（１）と、第２の部材（２）と、を、接着樹脂（３）にて接合した際に、図２（ａ）に示すように、接着樹脂（３）が第２の部材（２）の端部から流出し、該流出した接着樹脂（３）が中糊となり、図２（ｂ）に示すように第１の部材（１）と、第３の部材（５）と、が接合してしまい、図１（ｄ）に示すような形状の開口部（４）を形成することができない状態を発生させてしまう虞がある。このため、図１（ｃ）に示す構造の容器を大量生産した際に、図１（ｄ）に示すような開口部（４）を形成することができない図２（ｂ）に示す構造の不良品の容器を混同させてしまう虞が生じることになる。
【０００４】
なお、本発明より先に出願された技術文献として、予め形成された開口部を備えた蓋部材と該蓋部材の外面側に該開口部を覆い且つ開口周辺部で密封接着するように施された開封用タブとから成る易開封性容器蓋において、前記開封用タブは、前記蓋部材に接着固定されていると共に、前記開口周辺の端部が蓋部材側に折り曲げ加工され、開封用タブを蓋部材に接着固定する際、接着性樹脂又は接着剤のはみ出しが有効に防止された易開封性容器蓋が開示された文献がある（例えば、特許文献１参照）。
【０００５】
また、支持体と、この支持体の少なくとも一方の面に塗布または貼り付けされる接着剤層とからなる接合テープにおいて、前記支持対の前記接着剤層設面に微細な凹凸加工を施し、接着テープ端部から接着剤のはみ出しを防止する方法が開示された文献がある（例えば、特許文献２参照）。
【０００６】
また、部材Ａを部材Ｂに接着剤Ｃにより接合する場合に、部材Ｂに接着剤のはみ出しを防止する溝Ｄを設けた接着剤はみ出し防止溝構造が開示された文献がある（例えば、非特許文献１参照）。
【特許文献１】特開２００５−８８９６０号公報
【特許文献２】特開２００２−２２６０９５号公報
【非特許文献１】特許庁公報、周知・慣用技術集（接着）、日本国特許庁、ｐ．１１６、Ｎｏ．２２９（接着剤はみ出し防止溝構造）、１９８４年６月１５日発行
【発明の開示】
【発明が解決しようとする課題】
【０００７】
しかしながら、上記特許文献１、２、及び、非特許文献１に開示された技術は、所定量の接着樹脂のはみ出しを許容するための空き領域（凹形状部）を設けた構造を主眼とした発明であり、接着樹脂の流出を塞き止める構造にて、接着樹脂のはみ出しを防止することを考慮したものではない。
【０００８】
本発明は上記事情に鑑みてなされたものであり、接着樹脂の流出を塞き止め、接着樹脂のはみ出しを防止する接着樹脂のはみ出し防止構造及びそのはみ出し防止構造を有する容器を提供することを目的とするものである。
【課題を解決するための手段】
【０００９】
かかる目的を達成するために、本発明は以下の特徴を有することとする。
【００１０】
本発明にかかる接着樹脂のはみ出し防止構造は、第１の部材と、第２の部材と、を第２の部材に形成された接着樹脂を介して接合してなる構造であって、第２の部材には、接着樹脂の流出を防止する突起部が形成され、該突起部にて接着樹脂のはみ出しを防止することを特徴とするものである。
【００１１】
また、本発明にかかる接着樹脂のはみ出し防止構造において、突起部は、第２の部材の端部に沿って施されてなり、端部の外側への接着樹脂のはみ出しを防止することを特徴とするものである。
【００１２】
また、本発明にかかる接着樹脂のはみ出し防止構造において、突起部は、凸エンボスであることを特徴とするものである。
【００１３】
また、本発明にかかる容器は、上記記載のはみ出し防止構造を有する容器であって、第１の部材と、第２の部材と、は容器の両端を形成する部材であり、第１の部材と、第２の部材と、を接着樹脂を介して接合した際に、開口部が形成されることを特徴とするものである。
【発明の効果】
【００１４】
本発明にかかる接着樹脂のはみ出し防止構造は、第１の部材と、第２の部材と、を第２の部材に形成された接着樹脂を介して接合してなる構造であって、第２の部材には、接着樹脂の流出を防止する突起部が形成され、該突起部にて接着樹脂のはみ出しを防止することを特徴とするものである。これにより、第２の部材に形成された突起部にて接着樹脂の流出を塞き止め、接着樹脂のはみ出しを防止することが可能となる。
【発明を実施するための最良の形態】
【００１５】
まず、図３を参照しながら、本実施形態における接着樹脂のはみ出し防止構造の特徴について説明する。
【００１６】
本実施形態における接着樹脂のはみ出し防止構造は、図３（ａ）に示すように、第１の部材（１）と、第２の部材（２）と、を第２の部材（２）に形成された接着樹脂（３）を介して接合してなる構造であって、第２の部材（２）には、接着樹脂（３）の流出を防止する突起部（２１）が形成され、該突起部（２１）にて接着樹脂（３）のはみ出しを防止することを特徴とするものである。これにより、図３（ｂ）に示すように、第１の部材（１）と、第２の部材（２）と、を接着樹脂（３）を介して接合したとしても、接着樹脂（３）の流出を突起部（２１）にて塞き止めることが可能となり、図３（ｃ）に示すように、第１の部材（１）と、第３の部材（５）と、の接合を確実に回避することが可能となる。このため、図３（ｃ）に示す状態の容器を製函機にかけ、第１の部材（１）と、第３の部材（５）と、を確実に開口させ、図３（ｄ）に示すような形状の開口部（４）を形成し、該形成した開口部（４）に対して内容物を挿入することが可能となる。なお、突起部（２１）は、第２の部材（２）の端部に沿って施すことが好ましい。これにより、第２の部材（２）に形成する接着樹脂（３）の領域を広く確保することが可能となる。以下、添付図面を参照しながら、本実施形態における接着樹脂のはみ出し防止構造を有する容器について説明する。なお、以下の説明においては、１枚の紙片からなる容器を用いて、本実施形態の特徴となる接着樹脂のはみ出し防止構造について説明するが、本実施形態における接着樹脂のはみ出し構造は、紙片に限定するものではなく、接着樹脂のはみ出しを防止したい部材であれば、あらゆる素材に適用可能である。
【００１７】
まず、図３、図４を参照しながら、本実施形態の容器について説明する。
【００１８】
本実施形態における容器は、図４に示すように、第１の紙片（１）と、第２の紙片（２）と、その第１の紙片（１）と第２の紙片（２）とを連接するための第３の紙片（５）、第４の紙片（６）、第５の紙片（７）を有して構成される。
【００１９】
なお、この第１紙片〜第５の紙片（１、２、５、６、７）を、図３（ａ）に示すように、第２の紙片（２）に形成された接着樹脂（３）を介して、第１の紙片（１）と、第２の紙片（２）と、を接合することで、図３（ｂ）に示す開口部（４）を有する両端開放状の容器を形成することになる。
【００２０】
なお、本実施形態における容器を構成する第２の紙片（２）には、第１の紙片（１）と第２の紙片（２）とを接合した際に、第２の紙片（２）に施された接着樹脂（３）の外部への流出を塞き止めるための突起部（２１）が形成されている。
【００２１】
このように、第２の紙片（２）に施される接着樹脂（３）の流出を塞き止めるための突起部（２１）を第２の紙片（２）に対して設けることで、図３（ｂ）に示すように、第１の紙片（１）と、第２の紙片（２）と、を接着樹脂（３）を介して接合したとしても、接着樹脂（３）の流出を突起部（２１）にて塞き止め、第２の紙片（２）の端部からの接着樹脂（３）の流出を防止することが可能となる。
【００２２】
これにより、第２の紙片（２）に施した接着樹脂（３）が、第３の紙片（５）に付着されることがなくなるため、図３（ｃ）に示すように、第１の紙片（１）と、第３の紙片（５）と、の接合を確実に防止することが可能となる。
【００２３】
このため、図３（ｃ）に示す状態の容器を製函機にかけ、第１の紙片（１）と、第３の紙片（５）と、を開口し、図３（ｄ）に示すような形状の開口部（４）を形成させ、該形成させた開口部（４）に対して内容物を挿入することが可能となる。
【００２４】
また、図４に示すように、第１の紙片（１）、第３の紙片（５）、第４の紙片（６）、第５の紙片（７）には、図３（ｄ）に示す開口部（４）を閉鎖するための側面片（１０、１１、１２、１３）が設けられている。
【００２５】
この図４に示す側面片（１０、１１、１２、１３）を用いて開口部（４）を閉鎖することで、密封型の容器を形成することになる。
【００２６】
例えば、図３（ｃ）に示す状態の容器を製函機にかけ、第１の紙片（１）と、第３の紙片（５）と、を開口し、図３（ｄ）に示すような形状の開口部（４）を形成させ、該形成させた開口部（４）に対して内容物を挿入する。
【００２７】
そして、図５（ａ）に示すように、第１の紙片（１）に設けられた側面片（１０）と、第４の紙片（６）に設けられた側面片（１２）と、を内側（開口部４側）に閉鎖し、該閉鎖した側面片（１０、１２）に対して、第３の紙片（５）に設けられた側面片（１１）を、接合するように、図５（ｂ）に示すように、側面片（１１）を内側に閉鎖する。そして、その内側に閉鎖した側面片（１１）に対して、第５の紙片（７）に設けられた側面片（１３）を接合するように、図５（ｃ）に示すように、側面片（１３）を内側に閉鎖することになる。これにより、密封型の容器を形成することになる。
【００２８】
このように、本実施形態における容器は、図３（ａ）に示すように、第２の紙片（２）に施される接着樹脂（３）の流出を塞き止めるための突起部（２１）を第２の紙片（２）に設けることで、図３（ｂ）に示すように、第１の紙片（１）と、第２の紙片（２）と、を接着樹脂（３）を介して接合した際に、接着樹脂（３）が第２の紙片（２）の端部から流出するのを突起部（２１）にて塞き止めることが可能となり、図３（ｃ）に示すように、第１の紙片（１）と、第３の紙片（５）と、の接合を確実に回避することが可能となる。このため、図３（ｃ）に示す状態の容器を製函機にかけた際に、第１の紙片（１）と、第３の紙片（５）と、を確実に開口させ、図３（ｄ）に示すような形状の開口部（４）を形成することが可能となる。
【００２９】
なお、第２の紙片（２）に設ける突起部（２１）の形状は、図４に示すような形状に限定するものではなく、第１の紙片（１）と第２の紙片（２）とを接合した際に、接着樹脂（３）が第２の紙片（２）の端部から流出するのを防止することが可能な形状であれば、あらゆる形状の突起部を形成することが可能である。例えば、図６に示すように、第２の紙片（２）の両端部に対して突起部（２１）を形成することも可能である。このように、第２の紙片（２）の端部の少なくとも１部分に突起部（２１）を形成することも可能である。なお、第２の紙片（２）に設ける突起部（２１）は、第２の紙片（２）の端部「第１の紙片（１）と第２の紙片（２）とを接合するための接着樹脂（３）を施す糊代部分の縁」に沿って設けることが好ましい。これにより、第１の紙片（１）と第２の紙片（２）とを接合するための接着樹脂（３）を施す領域を広く確保することが可能となる。
【００３０】
また、第２の紙片（２）に設ける突起部（２１）は、エンボス加工を施すことで形成することが好ましい。これにより、図４、図６に示すような構造の紙片を製造する製造工程時において、第２の紙片（２）に対してエンボス加工を施し、第２の紙片に対して、図４、図６に示す形状の突起部（２１）を容易に設けることが可能となる。
【００３１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【産業上の利用可能性】
【００３２】
本発明にかかる接着樹脂のはみ出し防止構造は、接着樹脂のはみ出しを防止するための構造に対して適用可能である。
【図面の簡単な説明】
【００３３】
【図１】従来の容器の構造を説明するための断面図である。
【図２】従来の容器を形成する際に、接着樹脂（３）が第２の紙片（２）の端部から流出する状態を説明するための図である。
【図３】本実施形態における容器の構造を説明するための断面図である。
【図４】本実施形態における容器の構造を説明するための展開図である。
【図５】本実施形態における容器を密封する際の状態を説明するための図である。
【図６】本実施形態における容器の端部を構成する第２の紙片（２）に設ける突起部（２１）の形状例を示す展開図である。
【符号の説明】
【００３４】
１    第１の部材（紙片）
２    第２の部材（紙片）
３    接着樹脂
４    開口部
５    第３の部材（紙片）
６    第４の部材（紙片）
７    第５の部材（紙片）
１０、１１、１２、１３    側面片
２１    突起部
【図１】
2006335436.tif 000003
【図２】
2006335436.tif 000004
【図３】
2006335436.tif 000005
【図４】
2006335436.tif 000006
【図５】
2006335436.tif 000007
【図６】
2006335436.tif 000008